(57)【特許請求の範囲】
【請求項１】
電源から負荷への給電を制御する本体部と、前記負荷とは別体であり複数種類の中から選択されて前記本体部に着脱自在に取り付けられる操作部と、前記本体部と前記操作部との組み合わせが間違いであるか否かを判定する判定部と、前記判定部により前記本体部と前記操作部との組み合わせが間違いであると判定されたときに報知する報知部とを備えている
ことを特徴とするスイッチ装置。
【請求項２】
前記操作部は、タッチセンサ部を備えている
ことを特徴とする請求項１記載のスイッチ装置。
【請求項３】
前記判定部は、前記本体部に設けられている
ことを特徴とする請求項１または請求項２記載のスイッチ装置。
【請求項４】
前記本体部は、記憶部を備え、
前記判定部は、前記操作部からの識別データと、前記記憶部に予め記憶されたデータとが異なるとき、前記本体部と前記操作部との組み合わせが間違いであると判定するように構成されている
ことを特徴とする請求項３記載のスイッチ装置。
【請求項５】
前記判定部は、前記操作部に設けられている
ことを特徴とする請求項１または請求項２記載のスイッチ装置。
【請求項６】
前記操作部は、記憶部を備え、
前記判定部は、前記本体部からの識別データと、前記記憶部に予め記憶されたデータとが異なるとき、前記本体部と前記操作部との組み合わせが間違いであると判定するように構成されている
ことを特徴とする請求項５記載のスイッチ装置。
【請求項７】
前記報知部は、前記操作部に設けられている
ことを特徴とする請求項１ないし請求項６のいずれか１項に記載のスイッチ装置。
【請求項８】
前記報知部は、前記本体部に設けられている
ことを特徴とする請求項１ないし請求項６のいずれか１項に記載のスイッチ装置。
【請求項９】
電源から負荷への給電を制御する本体部と、複数種類の中から選択されて前記本体部に着脱自在に取り付けられる操作部と、前記本体部と前記操作部との組み合わせが間違いであるか否かを判定する判定部と、前記判定部により前記本体部と前記操作部との組み合わせが間違いであると判定されたときに報知する報知部とを備えており、
前記本体部は制御回路を備え、
前記制御回路は、前記判定部により前記本体部と前記操作部との組み合わせが間違いであると判定されたときに前記本体部から前記操作部への給電を停止する
ことを特徴とするスイッチ装置。
【発明の詳細な説明】
【技術分野】
【０００１】
本発明は、一般に、スイッチ装置に関し、より詳細には、電源から負荷への給電を制御するスイッチ装置に関する。
【背景技術】
【０００２】
従来、照明器具と、制御部と、操作部とを備えた照明装置が提案されている（特許文献１）。制御部は、操作部から指示を受けて、照明器具の光源を点灯、消灯あるいは調光させるように構成されている。以下では、説明の便宜上、操作部を「従来例のスイッチ装置」と称する。
【０００３】
従来例のスイッチ装置は、筐体（以下、「本体部」）と、スイッチ（以下、「操作部」）とを備えている。
【０００４】
特許文献１には、複数種類の本体部が記載されている。また、特許文献１には、複数種類の操作部が記載されている。
【先行技術文献】
【特許文献】
【０００５】
【特許文献１】特開２０１３−２６０７３号公報
【発明の概要】
【発明が解決しようとする課題】
【０００６】
従来例のスイッチ装置では、例えば、施工時において、本体部と操作部との組み間違いが生じる可能性がある。
【０００７】
本発明の目的は、本体部と操作部との組み間違いが生じるのを防止できるスイッチ装置を提供することにある。
【課題を解決するための手段】
【０００８】
本発明のスイッチ装置は、電源から負荷への給電を制御する本体部と、前記負荷とは別体であり複数種類の中から選択されて前記本体部に着脱自在に取り付けられる操作部とを備えている。また、本発明のスイッチ装置は、前記本体部と前記操作部との組み合わせが間違いであるか否かを判定する判定部と、前記判定部により前記本体部と前記操作部との組み合わせが間違いであると判定されたときに報知する報知部とを備えている。
【発明の効果】
【０００９】
本発明のスイッチ装置においては、本体部と操作部との組み間違いが生じるのを防止できる。
【図面の簡単な説明】
【００１０】
【図１】実施形態１のスイッチ装置の概略構成図である。
【図２】実施形態１のスイッチ装置が取付枠に取り付けられた状態を示す斜視図である。
【図３】実施形態１のスイッチ装置に関し、本体部と操作部との組み合わせを説明する説明図である。
【図４】実施形態２のスイッチ装置の概略構成図である。
【図５】実施形態３のスイッチ装置の概略構成図である。
【発明を実施するための形態】
【００１１】
（実施形態１）
以下では、実施形態１のスイッチ装置１０について、図１〜図３を参照しながら説明する。
【００１２】
スイッチ装置１０は、電源６０から負荷６１への給電を制御するように構成されている。スイッチ装置１０は、例えば、取付枠３１（図２参照）を用いて、壁に予め形成された孔（図示せず）に埋め込み配置される。電源６０は、例えば、商用電源である。負荷６１は、例えば、照明器具である。なお、スイッチ装置１０は、電源６０および負荷６１を構成要素として含まない。また、負荷６１は、照明器具に限らず、例えば、換気扇であってもよい。
【００１３】
スイッチ装置１０は、本体部１と、操作部２とを備えている。
【００１４】
本体部１は、電源６０から負荷６１への給電を制御するように構成されている。本体部１は、スイッチング素子５と、制御回路（以下、「第１制御回路」）６と、電源回路７と、第１通信部８と、第２通信部９と、設定部１１と、コネクタ（以下、「第１コネクタ」）１２とを備えている。また、本体部１は、一対の電源端子１３Ａ，１３Ｂと、一対の負荷端子１４Ａ，１４Ｂと、一対の信号端子１５Ａ，１５Ｂと、第１基板（図示せず）と、第１筐体２１（図２参照）とを備えている。
【００１５】
スイッチング素子５は、例えば、双方向サイリスタである。スイッチング素子５の第１主端子は、電源端子１３Ｂと電気的に接続されている。スイッチング素子５の第２主端子は、負荷端子１４Ｂと電気的に接続されている。スイッチング素子５の制御端子は、第１制御回路６と電気的に接続されている。
【００１６】
スイッチング素子５は、電源端子１３Ｂおよび負荷端子１４Ｂを介して、電源６０と負荷６１との直列回路と電気的に接続される。
【００１７】
第１制御回路６は、スイッチング素子５を制御するように構成されている。第１制御回路６は、例えば、マイクロコンピュータである。
【００１８】
電源回路７は、電源６０の交流電圧を直流電圧に変換するように構成されている。また、電源回路７は、上記直流電圧を第１制御回路６へ出力するように構成されている。電源回路７は、例えば、ＡＣ／ＤＣコンバータである。電源回路７は、電源端子１３Ｂと電気的に接続されている。また、電源回路７は、負荷端子１４Ａと電気的に接続されている。さらに、電源回路７は、第１制御回路６と電気的に接続されている。電源回路７は、電源端子１３Ｂおよび負荷端子１４Ａを介して、電源６０と電気的に接続される。
【００１９】
また、第１制御回路６は、電源回路７からの上記直流電圧を操作部２に供給するように構成されている。言い換えれば、第１制御回路６は、本体部１から操作部２への給電を制御するように構成されている。
【００２０】
一対の電源端子１３Ａ，１３Ｂは、互いに電気的に接続されている。電源端子１３Ａは、例えば、送り配線に利用される。
【００２１】
第１通信部８は、例えば、一対の信号線（図示せず）を媒体とする有線通信が可能に構成されている。第１通信部８は、一対の信号端子１５Ａ，１５Ｂと電気的に接続されている。また、第１通信部８は、第１制御回路６と電気的に接続されている。第１通信部８は、一対の信号端子１５Ａ，１５Ｂを介して、上記一対の信号線と電気的に接続される。
【００２２】
第１通信部８は、例えば、他のスイッチ装置（図示せず）から上記一対の信号線を用いて送信された第１制御信号を、一対の信号端子１５Ａ，１５Ｂを介して受信可能に構成されている。また、第１通信部８は、例えば、第１制御回路６から出力された第２制御信号を、一対の信号端子１５Ａ，１５Ｂおよび上記一対の信号線を介して、上記他のスイッチ装置へ送信可能に構成されている。第１通信部８は、第１送信回路（図示せず）および第１受信回路（図示せず）を備えている。
【００２３】
第２通信部９は、例えば、電波を媒体とする無線通信が可能に構成されている。第２通信部９は、第１制御回路６と電気的に接続されている。
【００２４】
第２通信部９は、例えば、制御装置（図示せず）から上記媒体を用いて送信された第３制御信号を、受信可能に構成されている。また、第２通信部９は、例えば、第１制御回路６から出力された第４制御信号を、上記媒体を用いて上記制御装置へ送信可能に構成されている。第２通信部９は、アンテナ（図示せず）、第２送信回路（図示せず）および第２受信回路（図示せず）を備えている。
【００２５】
なお、第１通信部８は、上記他のスイッチ装置との間で有線通信を行うように構成されているが、この構成に限らず、上記他のスイッチ装置との間で無線通信を行うように構成されていてもよい。この場合、第１通信部８は、第２通信部９と同様に、アンテナ、第２送信回路および第２受信回路を備えていればよい。また、第２通信部９は、上記制御装置との間で無線通信を行うように構成されているが、この構成に限らず、上記制御装置との間で有線通信を行うように構成されていてもよい。この場合、第２通信部９は、第１通信部８と同様に、第１送信回路および第１受信回路を備えていればよい。
【００２６】
設定部１１は、第１制御回路６における種々の設定が行えるように構成されている。設定部１１は、例えば、ディップスイッチである。設定部１１は、第１制御回路６と電気的に接続されている。
【００２７】
第１コネクタ１２は、本体部１と操作部２とを電気的および機械的に接続するように構成されている。第１コネクタ１２は、第１制御回路６と電気的に接続されている。
【００２８】
上記第１基板は、例えば、プリント基板である。上記第１基板には、スイッチング素子５と、設定部１１と、第１コネクタ１２と、一対の電源端子１３Ａ，１３Ｂと、一対の負荷端子１４Ａ，１４Ｂと、一対の信号端子１５Ａ，１５Ｂとが実装されている。また、上記第１基板には、第１制御回路６、電源回路７、第１通信部８および第２通信部９を構成する複数の電子部品（図示せず）が実装されている。
【００２９】
第１筐体２１は、上記第１基板を収納するように構成されている。第１筐体２１は、例えば、合成樹脂により箱状に形成されている。具体的に説明すると、第１筐体２１は、例えば、矩形箱状に形成されている。
【００３０】
設定部１１と第１コネクタ１２とは、第１筐体２１の前面から露出されている。一対の電源端子１３Ａ，１３Ｂと、一対の負荷端子１４Ａ，１４Ｂと、一対の信号端子１５Ａ，１５Ｂとは、第１筐体２１の後面から露出されている。
【００３１】
操作部２は、例えば、人により入力された操作を受け付けるように構成されている。また、操作部２は、例えば、入力された操作に応じた操作信号を、本体部１へ出力するように構成されている。さらに、操作部２は、本体部１に着脱自在に取り付けられるように構成されている。操作部２は、タッチセンサ部１６と、制御回路（以下、「第２制御回路」）１７と、コネクタ（以下、「第２コネクタ」）１８と、第２基板（図示せず）と、第２筐体２２（図２参照）とを備えている。上記第２基板は、例えば、プリント基板である。
【００３２】
タッチセンサ部１６は、例えば、静電容量方式のタッチセンサである。タッチセンサ部１６は、入力部（図示せず）とセンサ回路（図示せず）とを備えている。静電容量方式のタッチセンサとは、例えば、人体の一部（例えば、手指）が接触もしくは近接することを静電容量の変化で検出するセンサを意味する。
【００３３】
入力部は、例えば、上記第２基板の第１面に形成されている。また、入力部は、例えば、複数の電極により構成されている。
【００３４】
センサ回路は、複数の電極それぞれの浮遊容量（寄生容量）の変化を各別に検出するように構成されている。センサ回路は、例えば、静電容量方式のタッチセンサ用ＩＣである。センサ回路は、上記第２基板において第１面とは反対側の第２面に実装されている。
【００３５】
センサ回路は、複数の電極において少なくとも１つの電極における浮遊容量の増加を検出すると、入力部に人体の一部が接触もしくは近接したと判断する。なお、入力部は、複数の電極により構成されているが、１つの電極により構成されていてもよい。
【００３６】
また、タッチセンサ部１６は、人体の一部が接触もしくは近接すると、上記操作信号を第２制御回路１７へ出力するように構成されている。具体的に説明すると、センサ回路は、入力部に人体の一部が接触もしくは近接したと判断すると、入力部に入力された操作に応じた上記操作信号を第２制御回路１７へ出力するように構成されている。
【００３７】
第２制御回路１７は、タッチセンサ部１６からの上記操作信号を、本体部１の第１制御回路６へ出力するように構成されている。第２制御回路１７は、例えば、マイクロコンピュータである。第２制御回路１７は、タッチセンサ部１６と電気的に接続されている。また、第２制御回路１７は、第２コネクタ１８と電気的に接続されている。第２制御回路１７は、上記第２基板の第２面に実装されている。
【００３８】
第２コネクタ１８は、本体部１と操作部２とを電気的および機械的に接続するように構成されている。また、第２コネクタ１８は、第１コネクタ１２に着脱自在に取り付けられるように構成されている。すなわち、第２コネクタ１８と第１コネクタ１２とは、互いが着脱可能に構成されている。第２コネクタ１８は、上記第２基板の第２面に実装されている。
【００３９】
第２筐体２２は、上記第２基板を収納するように構成されている。第２筐体２２は、例えば、合成樹脂により箱状に形成されている。具体的に説明すると、第２筐体２２は、例えば、矩形箱状に形成されている。
【００４０】
第２コネクタ１８は、第２筐体２２の後面から露出されている。
【００４１】
第２筐体２２の右側壁および左側壁の各々には、操作部２を本体部１に取り付けるための取付片（図示せず）が設けられている。本体部１の第１筐体２１の右側壁および左側壁の各々には、対応する上記取付片を着脱自在に保持する保持部（図示せず）が設けられている。これにより、スイッチ装置１０では、操作部２が、本体部１に着脱自在に取り付けられる。スイッチ装置１０では、操作部２が本体部１に取り付けられるとき、操作部２の第２コネクタ１８と本体部１の第１コネクタ１２とが電気的および機械的に接続される。
【００４２】
第２制御回路１７は、タッチセンサ部１６からの上記操作信号を、第２コネクタ１８および第１コネクタ１２を介して、本体部１の第１制御回路６へ出力する。第１制御回路６は、第２制御回路１７から出力された上記操作信号に基づいて、スイッチング素子５を制御する。これにより、スイッチ装置１０は、電源６０から負荷６１への給電を制御することが可能となる。
【００４３】
スイッチ装置１０は、本体部１の種類と操作部２の種類とが同じになるように構成されている。一例を挙げて説明すると、スイッチ装置１０が調光器である場合、本体部１は、調光器用の本体部１Ａ（図２，３参照）であり、操作部２は、調光器用の操作部２Ａ（図２，３参照）である。本体部１の種類としては、調光器用の本体部１Ａ以外に、例えば、シングルスイッチ用の本体部（図示せず）、ダブルスイッチ用の本体部（図示せず）、浴室換気スイッチ用の本体部（図示せず）などが挙げられる。操作部２の種類としては、調光器用の操作部２Ａ以外に、例えば、図３に示すように、シングルスイッチ用の操作部２Ｂ、ダブルスイッチ用の操作部２Ｃ、浴室換気スイッチ用の操作部２Ｄなどが挙げられる。なお、シングルスイッチとは、例えば、電源から１つの負荷への給電を制御するスイッチを意味する。ダブルスイッチとは、例えば、電源から２つの負荷への給電を各別に制御するスイッチを意味する。浴室換気スイッチとは、例えば、住宅内の浴室に設置された換気扇の動作を制御するスイッチを意味する。
【００４４】
ところで、第１制御回路６は、判定部３と、記憶部１９とを備えている。言い換えれば、判定部３は、本体部１に設けられている。本体部１は、記憶部１９を備えている。スイッチ装置１は、判定部３を備えている。
【００４５】
判定部３は、本体部１の種類と操作部２の種類とが異なるか否かを判定するように構成されている。すなわち、判定部３は、本体部１と操作部２との組み合わせが間違いであるか否かを判定するように構成されている。具体的に説明すると、判定部３は、例えば、操作部２からの識別データ（以下、「第１識別データ」）と、記憶部１９に予め記憶されたデータとが異なるとき、本体部１と操作部２との組み合わせが間違いであると判定するように構成されている。記憶部１９に予め記憶されたデータ（以下、「第１記憶データ」）は、例えば、本体部１に対応すべき操作部２の種類を示すデータである。
【００４６】
操作部２における第２制御回路１７の第１記憶部（図示せず）には、第１識別データが予め記憶されている。第１識別データは、例えば、操作部２の種類を示すデータである。
【００４７】
第２制御回路１７は、第１コネクタ１２と第２コネクタ１８とが電気的および機械的に接続されたとき、第１記憶部に予め記憶された第１識別データを含む第１識別信号を、本体部１の第１制御回路６へ出力するように構成されている。第１制御回路６は、第２制御回路１７からの第１識別信号が入力されたとき、判定部３によって、第１識別信号に含まれた第１識別データと、記憶部１９に予め記憶された第１記憶データとが異なるか否かを判定するように構成されている。よって、判定部３は、操作部２からの第１識別データと、記憶部１９に予め記憶された第１記憶データとが異なるとき、本体部１と操作部２との組み合わせが間違いであると判定することが可能となる。
【００４８】
本体部１の第１制御回路６は、判定部３により本体部１と操作部２との組み合わせが間違いであると判定されたとき、エラー信号を操作部２の第２制御回路１７へ出力するように構成されている。エラー信号は、本体部１と操作部２との組み合わせが間違いであることを示す信号である。
【００４９】
操作部２は、報知部４を備えている。言い換えれば、報知部４は、操作部２に設けられている。スイッチ装置１は、報知部４を備えている。
【００５０】
報知部４は、例えば、光出力部２３と、音出力部２４とを備えている。
【００５１】
光出力部２３は、例えば、複数（例えば、５つ）の発光ダイオード２３Ａ〜２３Ｅ（図３参照）を備えている。光出力部２３は、第２制御回路１７と電気的に接続されている。第２制御回路１７は、光出力部２３における５つの発光ダイオード２３Ａ〜２３Ｅを各別に点灯可能に構成されている。具体的に説明すると、第２制御回路１７は、例えば、本体部１と操作部２との組み合わせが正しく、かつ、負荷６１である照明器具の光源が点灯状態であるとき、４つの発光ダイオード２３Ａ，２３Ｂ，２３Ｄ，２３Ｅを点灯状態にする。また、第２制御回路１７は、例えば、本体部１と操作部２との組み合わせが正しく、かつ、照明器具の光源が点灯状態であるとき、残り１つの発光ダイオード２３Ｃを消灯状態にする。一方、第２制御回路１７は、例えば、本体部１と操作部２との組み合わせが正しく、かつ、照明器具の光源が消灯状態であるとき、４つの発光ダイオード２３Ａ，２３Ｂ，２３Ｄ，２３Ｅを消灯状態にする。また、第２制御回路１７は、例えば、本体部１と操作部２との組み合わせが正しく、かつ、照明器具の光源が消灯状態であるとき、残り１つの発光ダイオード２３Ｃを点灯状態にする。
【００５２】
音出力部２４は、例えば、圧電素子を利用する発音装置（図示せず）を備えている。発音装置としては、例えば、圧電振動板、圧電ブザー、圧電サウンダなどが挙げられる。音出力部２４は、第２制御回路１７と電気的に接続されている。第２制御回路１７は、音出力部２４における発音装置を駆動するように構成されている。第２制御回路１７は、例えば、タッチセンサ部１６からの上記操作信号が入力されたとき、音出力部２４における発音装置を駆動する。これにより、スイッチ装置１０では、タッチセンサ部１６の入力部に人体の一部が接触もしくは近接したことを、発音装置からの音（以下、「操作音」）により報知することが可能となる。
【００５３】
ところで、報知部４は、判定部３により本体部１と操作部２との組み合わせが間違いであると判定されたときに、報知するように構成されている。具体的に説明すると、報知部４は、本体部１と操作部２との組み合わせが間違いであることを、光出力部２３における発光ダイオード２３Ｃにて報知するように構成されている。
【００５４】
一例を挙げて説明すると、第２制御回路１７は、第１制御回路６からのエラー信号が入力され、かつ、照明器具の光源が消灯状態であるとき、発光ダイオード２３Ｃを消灯状態にする。すなわち、第２制御回路１７は、本体部１と操作部２との組み合わせが間違いで、かつ、照明器具の光源が消灯状態であるとき、発光ダイオード２３Ｃを消灯状態にする。これにより、スイッチ装置１０では、本体部１と操作部２との組み合わせが間違いであることを、光出力部２３における発光ダイオード２３Ｃにて報知することが可能となる。言い換えれば、スイッチ装置１０では、本体部１と操作部２との組み合わせが間違いであることを、報知部４にて報知することが可能となる。よって、スイッチ装置１０では、例えば、施工時において、本体部１と操作部２との組み間違いが生じるのを防止できる。
【００５５】
報知部４は、本体部１と操作部２との組み合わせが間違いであることを、光出力部２３にて報知するように構成されているが、この構成に限らない。報知部４は、本体部１と操作部２との組み合わせが間違いであることを、音出力部２４にて報知するように構成されていてもよい。この場合、第２制御回路１７は、例えば、本体部１と操作部２との組み合わせが間違いで、かつ、照明器具の光源が消灯状態であるとき、音出力部２４における発音装置を駆動させればよい。これにより、スイッチ装置１０では、本体部１と操作部２との組み合わせが間違いであることを、発音装置からの音（以下、「報知音」）にて報知することが可能となる。なお、報知音と操作音とは、異なる種類の音に設定されることが望ましい。
【００５６】
また、報知部４は、本体部１と操作部２との組み合わせが間違いであることを、光出力部２３および音出力部２４の両方にて報知するように構成されていてもよい。
【００５７】
本体部１の第１制御回路６は、判定部３により本体部１と操作部２との組み合わせが間違いであると判定されたとき、エラー信号を操作部２の第２制御回路１７へ出力するように構成されているが、この構成に限らない。第１制御回路６は、判定部３により本体部１と操作部２との組み合わせが間違いであると判定されたとき、本体部１から操作部２への給電を停止するように構成されていてもよい。これにより、スイッチ装置１０では、操作部２が本体部１に取り付けられた後、操作部２が動作しないので、本体部１と操作部２との組み合わせが間違いであることを、操作部２により報知することが可能となる。よって、スイッチ装置１０では、例えば、施工時において、本体部１と操作部２との組み間違いが生じるのを防止できる。
【００５８】
判定部３は、操作部２からの第１識別データと、記憶部１９に予め記憶された第１記憶データとが異なるとき、本体部１と操作部２との組み合わせが間違いであると判定するように構成されているが、この構成に限らない。判定部３は、例えば、本体部１の第１筐体２１の前面から露出された押釦スイッチが、操作部２の第２筐体２２の後面に予め設けられた突部により押下されないとき、本体部１と操作部２との組み合わせが間違いであると判定するように構成されていてもよい。この場合、判定部３は、押釦スイッチと電気的に接続される。
【００５９】
また、判定部３は、本体部１もしくは操作部２が正規品であるか否かを判定するように構成されていてもよい。例えば、本体部１に設けられた判定部３は、操作部２が正規品であるか否かを判定するように構成されていてもよい。この場合、判体部３は、例えば、第１識別信号に含まれた第１識別データと、記憶部１９に予め記憶された第１記憶データとが異なるとき、操作部２が正規品でないと判定してもよい。第１制御回路６は、例えば、判定部３により操作部２が正規品でないと判定されたとき、本体部１から操作部２への給電を停止する。これにより、スイッチ装置１０では、正規品でない操作部２が本体部１に取り付けられた後、正規品でない操作部２が動作しないので、本体部１に正規品でない操作部２が取り付けられるのを防止できる。なお、正規品である操作部２から出力された第１識別信号に含まれる第１識別データは、暗号化されていることが望ましい。
【００６０】
判定部３は、第１識別信号に含まれた第１識別データと、記憶部１９に予め記憶された第１記憶データとが異なるとき、操作部２が正規品でないと判定する構成以外であってもよい。判定部３は、第１コネクタ１２と第２コネクタ１８とが接続された時点から第１所定期間が経過するまでの間に、第１識別信号が第１制御回路６に入力されない場合、操作部２が正規品でないと判定するように構成されていてもよい。また、判定部３は、第１コネクタ１２と第２コネクタ１８とが接続されて第２所定期間が経過した後に、第１識別信号が第１制御回路６に入力されない場合、操作部２が正規品でないと判定するように構成されていてもよい。さらに、判定部３は、第１コネクタ１２と第２コネクタ１８とが接続されたとき、第１制御回路６に入力された第１識別信号に予め規定された規定データが含まれていない場合、操作部２が正規品でないと判定するように構成されていてもよい。なお、正規品である操作部２から出力された第１識別信号に含まれる規定データは、暗号化されていることが望ましい。
【００６１】
なお、操作部２は、タッチセンサ部１６を備えているが、タッチセンサ部１６を備えていなくてもよい。操作部２は、例えば、スイッチ装置１０が調光器である場合、タッチセンサ部１６の代わりに、調光つまみ（図示せず）を備えていればよい。スイッチ装置１０は、操作部２がタッチセンサ部１６の代わりに調光つまみを備える場合、報知部４の音出力部２４を備えていなくてもよい。
【００６２】
以上説明した実施形態１のスイッチ装置１０は、電源６０から負荷６１への給電を制御する本体部１と、複数種類の中から選択されて本体部１に着脱自在に取り付けられる操作部２とを備えている。また、スイッチ装置１０は、本体部１と操作部２との組み合わせが間違いであるか否かを判定する判定部３と、判定部３により本体部１と操作部２との組み合わせが間違いであると判定されたときに報知する報知部４とを備えている。これにより、スイッチ装置１０では、本体部１と操作部２との組み合わせが間違いであることを、報知部４にて報知することが可能となる。よって、スイッチ装置１０では、例えば、施工時において、本体部１と操作部２との組み間違いが生じるのを防止できる。
【００６３】
操作部２は、上述の様に、タッチセンサ部１６を備えていることが好ましい。これにより、スイッチ装置１０では、例えば、指先で軽く触れるだけの操作、いわゆる、タッチ操作が可能となる。
【００６４】
判定部３は、上述の様に、本体部１に設けられていることが好ましい。これにより、スイッチ装置１０では、判定部３により本体部１と操作部２との組み合わせが間違いであるか否かを判定することが可能となる。よって、スイッチ装置１０では、本体部１と操作部２との組み合わせが間違いであるとき、本体部１と操作部２との組み合わせが間違いであることを報知部４にて報知することが可能となる。その結果、スイッチ装置１０では、例えば、施工時において、本体部１と操作部２との組み間違いが生じるのを防止できる。
【００６５】
本体部１は、上述の様に、記憶部１９を備えていることが好ましい。判定部３は、上述の様に、操作部２からの第１識別データと、記憶部１９に予め記憶された第１記憶データとが異なるとき、本体部１と操作部２との組み合わせが間違いであると判定するように構成されていることが好ましい。これにより、スイッチ装置１０では、判定部３により本体部１と操作部２との組み合わせが間違いであるか否かを判定することが可能となる。よって、スイッチ装置１０では、本体部１と操作部２との組み合わせが間違いであるとき、本体部１と操作部２との組み合わせが間違いであることを報知部４にて報知することが可能となる。その結果、スイッチ装置１０では、例えば、施工時において、本体部１と操作部２との組み間違いが生じるのを防止できる。
【００６６】
報知部４は、上述の様に、操作部２に設けられていることが好ましい。これにより、スイッチ装置１０では、本体部１と操作部２との組み合わせが間違いであることを、報知部４にて報知することが可能となる。よって、スイッチ装置１０では、例えば、施工時において、本体部１と操作部２との組み間違いが生じるのを防止できる。
【００６７】
（実施形態２）
実施形態２のスイッチ装置２０の基本構成は、実施形態１のスイッチ装置１０と同じであり、図４に示すように、判定部３および記憶部１９が、本体部１に設けられる代わりに、操作部２に設けられている点などがスイッチ装置１０と相違する。なお、スイッチ装置２０では、スイッチ装置１０と同様の構成要素に同一の符号を付して説明を適宜省略する。
【００６８】
第２制御回路１７は、判定部３と、記憶部１９とを備えている。言い換えれば、判定部３は、操作部２に設けられている。操作部２は、記憶部１９を備えている。
【００６９】
判定部３は、例えば、本体部１からの識別データ（以下、「第２識別データ」）と、記憶部１９に予め記憶されたデータとが異なるとき、本体部１と操作部２との組み合わせが間違いであると判定するように構成されている。記憶部１９に予め記憶されたデータ（以下、「第２記憶データ」）は、例えば、操作部２に対応すべき本体部１の種類を示すデータである。
【００７０】
本体部１における第１制御回路６の第２記憶部（図示せず）には、第２識別データが予め記憶されている。第２識別データは、例えば、本体部１の種類を示すデータである。
【００７１】
第１制御回路６は、第１コネクタ１２と第２コネクタ１８とが電気的および機械的に接続されたとき、第２記憶部に予め記憶された第２識別データを含む第２識別信号を、操作部２の第２制御回路１７へ出力するように構成されている。
【００７２】
第２制御回路１７は、第１制御回路６からの第２識別信号が入力されたとき、判定部３によって、第２識別信号に含まれた第２識別データと、記憶部１９に予め記憶された第２記憶データとが異なるか否かを判定するように構成されている。よって、判定部３は、本体部１からの第２識別データと、記憶部１９に予め記憶された第２記憶データとが異なるとき、本体部１と操作部２との組み合わせが間違いであると判定することが可能となる。
【００７３】
第２制御回路１７は、例えば、判定部３により本体部１と操作部２との組み合わせが間違いであると判定され、かつ、照明器具の光源が消灯状態であるとき、発光ダイオード２３Ｃを消灯状態にする。これにより、スイッチ装置２０では、本体部１と操作部２との組み合わせが間違いであることを、報知部４にて報知することが可能となる。よって、スイッチ装置２０では、例えば、施工時において、本体部１と操作部２との組み間違いが生じるのを防止できる。
【００７４】
以上説明した実施形態２のスイッチ装置２０は、電源６０から負荷６１への給電を制御する本体部１と、複数種類の中から選択されて本体部１に着脱自在に取り付けられる操作部２とを備えている。また、スイッチ装置２０は、本体部１と操作部２との組み合わせが間違いであるか否かを判定する判定部３と、判定部３により本体部１と操作部２との組み合わせが間違いであると判定されたときに報知する報知部４とを備えている。これにより、スイッチ装置２０では、本体部１と操作部２との組み合わせが間違いであることを、報知部４にて報知することが可能となる。よって、スイッチ装置２０では、例えば、施工時において、本体部１と操作部２との組み間違いが生じるのを防止できる。
【００７５】
判定部３は、上述の様に、操作部２に設けられていることが好ましい。これにより、スイッチ装置２０では、判定部３により本体部１と操作部２との組み合わせが間違いであるか否かを判定することが可能となる。よって、スイッチ装置２０では、本体部１と操作部２との組み合わせが間違いであるとき、本体部１と操作部２との組み合わせが間違いであることを報知部４にて報知することが可能となる。その結果、スイッチ装置２０では、例えば、施工時において、本体部１と操作部２との組み間違いが生じるのを防止できる。
【００７６】
操作部２は、上述の様に、記憶部１９を備えていることが好ましい。判定部３は、上述の様に、本体部１からの第２識別データと、記憶部１９に予め記憶された第２記憶データとが異なるとき、本体部１と操作部２との組み合わせが間違いであると判定するように構成されていることが好ましい。これにより、スイッチ装置２０では、判定部３により本体部１と操作部２との組み合わせが間違いであるか否かを判定することが可能となる。よって、スイッチ装置２０では、本体部１と操作部２との組み合わせが間違いであるとき、本体部１と操作部２との組み合わせが間違いであることを報知部４にて報知することが可能となる。その結果、スイッチ装置２０では、例えば、施工時において、本体部１と操作部２との組み間違いが生じるのを防止できる。
【００７７】
（実施形態３）
実施形態３のスイッチ装置３０の基本構成は、実施形態１のスイッチ装置１０と同じであり、図５に示すように、報知部４が操作部２に設けられる代わりに、報知部２５が本体部１に設けられている点などがスイッチ装置１０と相違する。なお、スイッチ装置３０では、スイッチ装置１０と同様の構成要素に同一の符号を付して説明を適宜省略する。
【００７８】
報知部２５は、判定部３により本体部１と操作部２との組み合わせが間違いであると判定されたときに、報知するように構成されている。具体的に説明すると、報知部２５は、音出力部２４を備えている。報知部２５は、本体部１と操作部２との組み合わせが間違いであることを、音出力部２４にて報知するように構成されている。
【００７９】
一例を挙げて説明すると、第１制御回路６は、本体部１と操作部２との組み合わせが間違いで、かつ、照明器具の光源が消灯状態であるとき、報知部２５の音出力部２４における発音装置を駆動させる。これにより、スイッチ装置３０では、本体部１と操作部２との組み合わせが間違いであることを、報知部２５の音出力部２４にて報知することが可能となる。言い換えれば、スイッチ装置３０では、本体部１と操作部２との組み合わせが間違いであることを、報知部２５にて報知することが可能となる。よって、スイッチ装置３０では、例えば、施工時において、本体部１と操作部２との組み間違いが生じるのを防止できる。なお、報知部４が操作部２に設けられる代わりに、報知部２５が本体部１に設けられる構成は、実施形態２のスイッチ装置２０に適用してもよい。また、報知部２５は、音出力部２４のみを備えているが、光出力部２３と音出力部２４とを備えていてもよい。
【００８０】
スイッチ装置３０は、報知部２５が本体部１に設けられるように構成されているが、この構成に限らない。スイッチ装置３０は、報知部２５が本体部１に設けられ、かつ、報知部４が操作部２に設けられるように構成されていてもよい。この場合は、報知部２５が音出力部２４のみを備え、報知部４が光出力部２３のみを備えていればよい。なお、報知部２５が本体部１に設けられ、かつ、報知部４が操作部２に設けられる構成は、実施形態２のスイッチ装置２０に適用してもよい。
【００８１】
以上説明した実施形態３のスイッチ装置３０は、電源６０から負荷６１への給電を制御する本体部１と、複数種類の中から選択されて本体部１に着脱自在に取り付けられる操作部２とを備えている。また、スイッチ装置３０は、本体部１と操作部２との組み合わせが間違いであるか否かを判定する判定部３と、判定部３により本体部１と操作部２との組み合わせが間違いであると判定されたときに報知する報知部２５とを備えている。これにより、スイッチ装置３０では、本体部１と操作部２との組み合わせが間違いであることを、報知部２５にて報知することが可能となる。よって、スイッチ装置３０では、例えば、施工時において、本体部１と操作部２との組み間違いが生じるのを防止できる。
【００８２】
報知部２５は、上述の様に、本体部１に設けられていることが好ましい。これにより、スイッチ装置３０では、本体部１と操作部２との組み合わせが間違いであることを、報知部２５にて報知することが可能となる。よって、スイッチ装置３０では、例えば、施工時において、本体部１と操作部２との組み間違いが生じるのを防止できる。
【符号の説明】
【００８３】
１  本体部
２  操作部
３  判定部
４  報知部
１０  スイッチ装置
１６  タッチセンサ部
１９  記憶部
２５  報知部
２０  スイッチ装置
３０  スイッチ装置
【図１】
0006418485.tif 000002
【図２】
0006418485.tif 000003
【図３】
0006418485.tif 000004
【図４】
0006418485.tif 000005
【図５】
0006418485.tif 000006